(57)【要約】【課題】プラントの運転訓練における評価基準となる操作情報の作成や編集をユーザにより容易に行える運転訓練用シミュレータ装置を提供する。【解決手段】運転訓練支援装置１０の操作情報収集部２は、訓練用端末１においてユーザが操作したプラント機器の名称及び操作内容を含む操作情報を収集し、操作履歴作成部３は、操作情報収集部２から取得した操作情報をもとに操作履歴フローを作成する。評価基準操作登録部４は、操作履歴作成部３にて作成された任意の操作履歴フローを、ユーザの指示に応じて評価基準操作情報として登録する。操作手順評価部５は、ユーザによる操作情報を、評価基準操作登録部４に登録された評価基準操作情報と比較してユーザの操作を評価する。これにより、プラントの運転訓練における評価基準となる評価基準操作情報の作成をユーザにより容易に行え、効率的な個人訓練を行うことができる。【選択図】図１
2009276537.tif 000002
【特許請求の範囲】
【請求項１】
ユーザが操作した機器の名称及び操作内容を含む操作情報を収集する操作情報収集部と、前記操作情報収集部から取得した操作情報をもとに操作履歴フローを作成する操作履歴作成部と、前記操作履歴作成部において作成された任意の操作履歴フローをユーザの指示に応じて評価基準操作情報として登録する評価基準操作登録部と、前記評価基準操作登録部に登録された評価基準操作情報とユーザによる操作情報とを比較して前記ユーザの操作を評価する操作手順評価部を備えたことを特徴とする運転訓練用シミュレータ装置。
【請求項２】
請求項１に記載の運転訓練用シミュレータ装置であって、前記評価基準操作登録部に登録された評価基準操作情報をユーザの指示に応じて編集する評価基準操作編集部を備えたことを特徴とする運転訓練用シミュレータ装置。
【請求項３】
請求項１または請求項２に記載の運転訓練用シミュレータ装置であって、ユーザが運転訓練を実施する際に、前記評価基準操作登録部に登録された評価基準操作情報の操作履歴フローを表示するとともに、表示された前記操作履歴フローの項目のうち前記ユーザが操作した項目を操作していない項目と区別して表示する機能を有するオンラインモニタ表示部を備えたことを特徴とする運転訓練用シミュレータ装置。
【請求項４】
請求項１〜請求項３のいずれか一項に記載の運転訓練用シミュレータ装置であって、ユーザの操作に応じた各プラントパラメータの状態変化を模擬演算するプラントモデル演算部と、前記プラントモデル演算部により演算された各プラントパラメータの状態変化を示すトレンドグラフを作成するトレンドグラフ作成部と、前記トレンドグラフを表示するトレンドグラフ表示部を備え、操作履歴フローをユーザの指示に応じて評価基準操作情報として登録する際に、登録する評価基準操作情報に対して前記トレンドグラフ作成部により演算されたトレンドグラフを評価基準操作トレンドグラフとして前記評価基準操作登録部に登録することを特徴とする運転訓練用シミュレータ装置。
【請求項５】
請求項４に記載の運転訓練用シミュレータ装置であって、前記評価基準操作登録部に登録された評価基準操作トレンドグラフと、ユーザの操作に応じて演算されたトレンドグラフを重ねて前記トレンドグラフ表示部に表示するトレンドグラフ重ね合わせ部を備えたことを特徴とする運転訓練用シミュレータ装置。
【発明の詳細な説明】
【技術分野】
【０００１】
本発明は、プラントの運転訓練を実施する運転訓練用シミュレータ装置に関する。
【背景技術】
【０００２】
従来のプラント運転訓練用シミュレータ装置として、例えば特許文献１では、ユーザである訓練者の運転操作およびそのプラントプロセス変化と、予めインストラクタ等によって行われた模範操作およびその模範的プロセス変化とを比較して画面に表示する運転訓練支援装置が示されている。
【０００３】
また、特許文献２では、例えば配管上の弁の開閉操作のような操作項目のみならず、弁の開閉操作を行う前に弁の出口圧力を監視するというような監視項目についてもデータを収集し、必要な操作、監視が実際に行われたかどうかを判断することができる評価機能を備えた運転訓練用シミュレータ装置が示されている。
【特許文献１】特開平１−１７７５８５号公報
【特許文献２】特開平１０−２４０１１４号公報
【発明の開示】
【発明が解決しようとする課題】
【０００４】
上記のような従来の運転訓練用シミュレータ装置においては、評価基準となる操作情報（模範操作情報）は予め登録されているものであり、ユーザが適宜変更することはできなかった。このため、評価基準となる操作情報を変更したい場合や、新しい訓練項目の評価基準を追加したい場合には、運転訓練用シミュレータ装置の製造メーカに改造を依頼しなければならず、改造のための追加費用が必要となる、改造の期間中は訓練が行えない等の問題点があった。
【０００５】
また、発電所等の現場に運転訓練用シミュレータ装置を設置する場合には、研修センターと違い専門のインストラクタがいないため、個人訓練を支援する機能の充実が必要であった。
【０００６】
本発明は、上記のような問題点を解消するためになされたもので、プラントの運転訓練における評価基準となる操作情報の作成や編集をユーザにより容易に行える運転訓練用シミュレータ装置を提供することを目的とする。
【０００７】
また、専門のインストラクタがいなくても効率的な個人訓練を行える運転訓練用シミュレータ装置を提供することを目的とする。
【課題を解決するための手段】
【０００８】
本発明に係る運転訓練用シミュレータ装置は、ユーザが操作した機器の名称及び操作内容を含む操作情報を収集する操作情報収集部と、操作情報収集部から取得した操作情報をもとに操作履歴フローを作成する操作履歴作成部と、操作履歴作成部において作成された任意の操作履歴フローをユーザの指示に応じて評価基準操作情報として登録する評価基準操作登録部と、評価基準操作登録部に登録された評価基準操作情報とユーザによる操作情報とを比較してユーザの操作を評価する操作手順評価部を備えたものである。
【発明の効果】
【０００９】
本発明によれば、プラントの運転訓練における評価基準となる操作情報の作成をユーザにより容易に行え、専門のインストラクタがいなくても効率的な個人訓練を行うことができる。
【発明を実施するための最良の形態】
【００１０】
本発明は、発電所等のプラントの運転訓練を実施する運転訓練用シミュレータ装置に関するものである。以下に、本発明を実施するための最良の形態である実施の形態１〜実施の形態５について図面に基づいて説明する。
【００１１】
実施の形態１．
図１は、本発明の実施の形態１に係る運転訓練用シミュレータ装置の構成を示す概略図である。本実施の形態１における運転訓練用シミュレータ装置は、ユーザである訓練者がプラント機器操作の運転訓練を実施する訓練用端末１と運転訓練支援端末２０、及びこれらの端末に接続された運転訓練支援装置１０から構成されている。また、運転訓練支援装置１０は、操作情報収集部２、操作履歴作成部３、評価基準操作登録部４及び操作手順評価部５を有する。
【００１２】
運転訓練支援装置１０の操作情報収集部２は、訓練用端末１においてユーザが操作したプラント機器の名称及び操作内容を含む操作情報を収集するものである。操作履歴作成部３は、操作情報収集部２から取得した操作情報をもとに操作履歴フローを作成するものである。具体的には、操作情報を自動的に順番に並べて繋ぎ、図２に示すような操作履歴フロー４１を作成する。操作履歴フロー４１には、「出口弁」「ポンプ」等の操作機器名称と、「開」「起動」等の操作内容が示される。
【００１３】
評価基準操作登録部４は、操作履歴作成部３にて作成された任意の操作履歴フローを、ユーザの指示に応じて評価基準操作情報として登録するものである。登録は、運転訓練支援端末２０から登録要求があった場合に行われる。操作手順評価部５は、ユーザによる操作情報を、評価基準操作登録部４に登録された評価基準操作情報と比較して、余分な操作、不足した操作、または操作順番間違い等を抽出し、ユーザの操作を評価するものである。
【００１４】
本実施の形態１における運転訓練支援装置１０の処理フローを図３に示す。まず、訓練用端末１においてユーザが操作を開始すると（Ｓ１）、操作情報収集部２は、操作されたプラント機器名称及び操作内容を取得し、これらを操作情報として記録する（Ｓ２）。続いて、操作履歴作成部３は、操作情報収集部２から操作情報を取得し、操作履歴フローを作成する（Ｓ３）。作成された操作履歴フローは、運転訓練支援端末２０の表示部（図示せず）に表示される（Ｓ４）。
【００１５】
作成された操作履歴フローは、登録要求の有無によって保存先が異なる。ユーザの操作により運転訓練支援端末２０から登録要求（Ｓ６）があった操作履歴フローは、評価基準操作情報として評価基準操作登録部４に登録される（Ｓ７）。この時ユーザは、登録する評価基準操作情報に適当な名称を付けて保存することができる。登録要求がなかった操作履歴フローは、訓練者の操作履歴フローとして随時、操作履歴作成部３に保存される。
【００１６】
以上のように、本実施の形態１によれば、運転訓練用シミュレータ装置の運転訓練支援装置１０において、ユーザによる任意の操作履歴フローをユーザの指示に応じて評価基準操作情報として評価基準操作登録部４に登録できるので、ユーザの必要に応じた様々な訓練パターンの評価基準操作情報をユーザによって容易に作成することができる。また、熟練した運転員による操作履歴フローを評価基準操作情報として登録することができる。
【００１７】
さらに、評価基準となる評価基準操作情報を変更したい場合や、新しい訓練項目を追加したい場合も、運転訓練支援装置１０の製造メーカに改造を依頼する必要がなく、ユーザ自身で作成することができる。従って、改造のための追加費用が不要であり、改造の期間中は訓練が行えないという問題も発生しない。
【００１８】
また、操作手順評価部５により、ユーザによる操作情報を評価基準操作登録部４に登録された評価基準操作情報と比較し、ユーザによる操作を評価することができるので、専門のインストラクタがいなくても効率的な個人訓練を行うことが可能である。
【００１９】
実施の形態２．
図４は、本発明の実施の形態２に係る運転訓練用シミュレータ装置の構成を示す概略図である。上記実施の形態１では、ユーザが訓練用端末１上で実施した操作情報から操作履歴フローを作成し、ユーザによる登録要求があった場合に評価基準操作情報として登録することができる運転訓練用シミュレータ装置について述べた。本実施の形態２ではさらに、上記実施の形態1と同様に構成された運転訓練用シミュレータ装置において、評価基準操作登録部４に登録された評価基準操作情報をユーザの指示に応じて編集する評価基準操作編集部６を備えたものである。なお、図４中、図１と同一、相当部分には同一符号を付し説明を省略する。
【００２０】
運転訓練支援装置１０に設けられた評価基準操作編集部６は、評価基準操作登録部４に登録された評価基準操作情報を必要に応じて呼び出し、編集し、再登録するものである。本実施の形態２における評価基準操作編集部６によって編集された評価基準操作情報の操作履歴フローの例を図５に示す。この例では、プラントに常用側のＡ号機と予備側のＢ号機の２系統のポンプがあり、Ａ、Ｂ号機のどちらを運転し、どちらを予備とするかは運転員の判断によって選択されるが、どちらを選択しても運転操作として間違いではない。評価基準操作登録部４には、予めＡ号機を用いた操作履歴フローが評価基準操作情報として登録されているものとする。
【００２１】
このような場合、ユーザは、運転訓練支援端末２０からの操作により、評価基準操作情報として登録されているＡ号機を用いた操作履歴フローを呼び出し、これにＢ号機を用いた操作履歴フローを追加することができる。ユーザは、評価基準操作編集部６において、Ａ号機を用いた操作履歴フローと、Ｂ号機を用いた操作履歴フローを、一つの操作履歴フロー４２に編集する。操作履歴フロー４２は、運転訓練支援端末２０から登録要求をすることにより、評価基準操作登録部４に登録される。これにより、Ａ号機、Ｂ号機どちらの系統を操作しても正解とする評価基準操作情報が作成される。
【００２２】
図６は、本実施の形態２における運転訓練支援装置１０の処理フローを示す図である。なお、図６に示す処理フローのＳ１〜Ｓ７は、上記実施の形態１で説明した図３の処理フローと同じであるので説明を省略する。本実施の形態２では、評価基準操作情報として評価基準操作登録部４に登録された操作履歴フローを必要に応じて呼び出し、編集を実施する（Ｓ８）。編集された操作履歴フローは、運転訓練支援端末２０から登録要求があった場合に（Ｓ６）、評価基準操作登録部４に登録される。
【００２３】
本実施の形態２によれば、上記実施の形態１と同様の効果に加え、評価基準操作登録部４に登録された評価基準操作情報をユーザの指示に応じて編集する評価基準操作編集部６を備えているので、ユーザの要求に対応した評価基準操作情報をさらに容易に作成することができる。
【００２４】
実施の形態３．
図７は、本発明の実施の形態３に係る運転訓練用シミュレータ装置の構成を示す概略図である。本実施の形態３では、上記実施の形態２と同様に構成された運転訓練用シミュレータ装置において、運転訓練支援端末２０にオンラインモニタ表示部２１を設け、個人訓練を支援する機能の充実を図るものである。なお、図７中、図４と同一、相当部分には同一符号を付し説明を省略する。
【００２５】
本実施の形態３におけるオンラインモニタ表示部２１は、ユーザが運転訓練を実施する際に、評価基準操作登録部４に登録された評価基準操作情報の操作履歴フローを表示するとともに、表示された操作履歴フローの項目のうち、ユーザが操作した項目を操作していない項目と区別して表示する機能を有している。区別の方法としては、ユーザが操作した項目または操作中の項目について、色、大きさ、または字体を変えて表示する等の方法がある。
【００２６】
本実施の形態３によれば、上記実施の形態２と同様の効果に加え、評価基準操作登録部４に登録された評価基準操作情報の操作履歴フローを表示するオンラインモニタ表示部２１を備えることにより、手本となる評価基準操作の操作履歴フローを見ながら訓練を実施することができるので、ユーザが初心者の場合であっても、また専門のインストラクタがいなくても、効率的な個人訓練を行うことが可能である。
【００２７】
実施の形態４．
図８は、本発明の実施の形態４に係る運転訓練用シミュレータ装置の構成を示す概略図である。本実施の形態４では、上記実施の形態３と同様に構成された運転訓練用シミュレータ装置において、プラントモデル演算部３１とトレンドグラフ作成部３２を有するシミュレータ装置３０をさらに備え、評価基準操作に対応したトレンドグラフをトレンドグラフ表示部２２に表示することにより、個人訓練を支援する機能の充実を図るものである。
【００２８】
プラントモデル演算部３１は、ユーザが運転訓練を実施する際に、ユーザの操作に応じた各プラントパラメータの状態変化を模擬演算するものである。また、トレンドグラフ作成部３２は、プラントモデル演算部３１により演算された各プラントパラメータの状態変化を示すトレンドグラフを作成する。
【００２９】
本実施の形態４では、操作履歴フローをユーザの指示に応じて評価基準操作情報として登録する際に、登録する評価基準操作情報に対してトレンドグラフ作成部３２により演算されたトレンドグラフを、評価基準操作トレンドグラフとして評価基準操作登録部４に登録することができる。登録された評価基準操作トレンドグラフは、必要に応じて運転訓練支援端末２０のトレンドグラフ表示部２２に表示される。
【００３０】
本実施の形態４によれば、上記実施の形態３と同様の効果に加え、ユーザは、評価基準操作情報に対応した評価基準操作トレンドグラフをトレンドグラフ表示部２２に表示し、これを参考にしながら訓練を行えるので、ユーザが初心者の場合であっても、また専門のインストラクタがいなくても、効率的な個人訓練を行うことができる。
【００３１】
実施の形態５．
図９は、本発明の実施の形態５に係る運転訓練用シミュレータ装置の構成を示す概略図である。本実施の形態５では、上記実施の形態４と同様に構成された運転訓練用シミュレータ装置において、運転訓練支援装置１０に、評価基準操作登録部４に登録された評価基準操作トレンドグラフと、ユーザの操作に応じて演算されたトレンドグラフを重ね合わせてトレンドグラフ表示部２２に表示するトレンドグラフ重ね合わせ部７を設け、個人訓練を支援する機能の充実を図るものである。
【００３２】
本実施の形態５における運転訓練用シミュレータ装置においては、ユーザは運転訓練を実施する際に、運転訓練支援端末２０からの操作により、評価基準操作登録部４に登録された評価基準操作トレンドグラフの中から訓練内容に合致するものを選択し、呼び出すことができる。運転訓練を開始すると、トレンドグラフ表示部２２には、図１０に示すように、ユーザの操作に応じて演算されたトレンドグラフ（実線）と、呼び出された評価基準操作トレンドグラフ（破線）が重ね合わせられオンライン表示される。
【００３３】
本実施の形態５によれば、上記実施の形態４と同様の効果に加え、ユーザは、自身の運転操作に応じて演算されたトレンドグラフと評価基準操作トレンドグラフの違い、すなわちプラントパラメータの状態変化の違いを確認しながら訓練することができるので、さらに効率的な個人訓練を行うことが可能である。
【産業上の利用可能性】
【００３４】
本発明に係る運転訓練用シミュレータ装置は、発電所等のプラントの運転訓練を実施する運転訓練用シミュレータ装置として利用することができる。
【図面の簡単な説明】
【００３５】
【図１】本発明の実施の形態１に係る運転訓練用シミュレータ装置の構成を示す概略図である。
【図２】本発明の実施の形態１に係る運転訓練支援装置の操作履歴作成部において作成された操作履歴フローを示す図である。
【図３】本発明の実施の形態１に係る運転訓練支援装置の処理フローを示す図である。
【図４】本発明の実施の形態２に係る運転訓練用シミュレータ装置の構成を示す概略図である。
【図５】本発明の実施の形態２に係る運転訓練支援装置の評価基準操作編集部において作成された操作履歴フローを示す図である。
【図６】本発明の実施の形態２に係る運転訓練支援装置の処理フローを示す図である。
【図７】本発明の実施の形態３に係る運転訓練用シミュレータ装置の構成を示す概略図である。
【図８】本発明の実施の形態４に係る運転訓練用シミュレータ装置の構成を示す概略図である。
【図９】本発明の実施の形態５に係る運転訓練用シミュレータ装置の構成を示す概略図である。
【図１０】本発明の実施の形態５に係る運転訓練用シミュレータ装置のトレンドグラフ表示部を示す図である。
【符号の説明】
【００３６】
１  訓練用端末、２  操作情報収集部、３  操作履歴作成部、４  評価基準操作登録部、５  操作手順評価部、６  評価基準操作編集部、７  トレンドグラフ重ね合わせ部、
１０  運転訓練支援装置、２０  運転訓練支援端末、２１  オンラインモニタ表示部、
２２  トレンドグラフ表示部、３０  シミュレータ装置、３１  プラントモデル演算部、
３２  トレンドグラフ作成部、４１、４２  操作履歴フロー。
【図１】
2009276537.tif 000003
【図２】
2009276537.tif 000004
【図３】
2009276537.tif 000005
【図４】
2009276537.tif 000006
【図５】
2009276537.tif 000007
【図６】
2009276537.tif 000008
【図７】
2009276537.tif 000009
【図８】
2009276537.tif 000010
【図９】
2009276537.tif 000011
【図１０】
2009276537.tif 000012